(57)【要約】【課題】  わずかな増水では水没・冠水しない水辺デッキを提供する。【解決手段】  実質的に水平を保ったまま水位の上昇とともに上方に移動可能なように陸側構造３０に連結されたデッキ部１０を有することを特徴とする水辺デッキ１とした。また、実質的に水平を保ったまま上方に移動可能なように陸側構造３０に連結されたデッキ部１０であって、水よりも小さい比重を有するデッキ部１０を有することを特徴とする水辺デッキとした。【選択図】  図１
2018003328.tif 000002
【特許請求の範囲】
【請求項１】
実質的に水平を保ったまま水位の上昇とともに上方に移動可能なように陸側構造に連結されたデッキ部を有することを特徴とする水辺デッキ。
【請求項２】
実質的に水平を保ったまま上方に移動可能なように陸側構造に連結されたデッキ部であって、水よりも小さい比重を有するデッキ部を有することを特徴とする水辺デッキ。
【請求項３】
前記デッキ部が、デッキ板と、前記デッキ板の下方に取り付けられた浮力体を有することを特徴とする請求項１又は２に記載の水辺デッキ。
【請求項４】
前記デッキ部が実質的に水平を保ったまま上方に移動可能なように、前記デッキ部を前記陸側構造に連結する連結機構をさらに有することを特徴とする請求項１〜３のいずれか一項に記載の水辺デッキ。
【請求項５】
前記連結機構が可撓性の係留体を有することを特徴とする請求項１〜４のいずれか一項に記載の水辺デッキ。
【請求項６】
前記連結機構が、上下方向に延びるガイドレールを有し、
前記デッキ部が、前記ガイドレールに沿って移動可能に、かつ、前記ガイドレールに対して回転可能に連結されていることを特徴とする請求項１〜４のいずれか一項に記載の水辺デッキ。
【請求項７】
前記デッキ部に対して回転可能に取り付けられた支柱をさらに有することを特徴とする請求項１〜６のいずれか一項に記載の水辺デッキ。
【請求項８】
前記デッキ部は、実質的に水平を保ったまま第１の位置まで上昇可能であり、水位が前記第１の位置よりも高くなったときに、前記デッキ部が回転し、前記デッキ部の川側端部が前記陸側構造よりも高くなることを特徴とする請求項１〜７のいずれか一項に記載の水辺デッキ。
【請求項９】
前記デッキ部が、相互に回転可能に連結された第１デッキ部と第２デッキ部を有することを特徴とする請求項１〜８のいずれか一項に記載の水辺デッキ。
【発明の詳細な説明】
【技術分野】
【０００１】
本発明は、河川等の水辺に設置されるデッキに関する。より詳細には、水嵩に応じて上方に移動することが可能なデッキに関する。
【背景技術】
【０００２】
水辺デッキとしては、京都の川床が有名であり、川に座敷等の空間を設けて食事等を楽しむことができる。水辺デッキは、水面からの距離が近い（高さが低い）ほど、水を身近に感じることができる、清涼感が得られる等、好ましい。
【先行技術文献】
【特許文献】
【０００３】
【特許文献１】特開２０１１−１７９３１０号公報
【発明の概要】
【発明が解決しようとする課題】
【０００４】
しかし、水面近くに設けた水辺デッキは、わずかな増水で水没・冠水する問題がある。そのため、増水ごとに座敷等の施設を退避することが必要であり、水が引いた後のデッキの清掃も大変である。よって、従来の川床は鴨川のような水嵩の変動が小さい川にしか設置できなかった。
【０００５】
特許文献１は、水辺デッキを越水防止に利用する技術を開示する。しかし、特許文献１は、デッキ上の空間の利用を何ら考慮していない。すなわち、増水時には、デッキ２１が回転するので、デッキ２１上の施設は落下又は移動してしまう。よって、デッキ２１に座敷等の施設を設置することは困難であるし、少なくとも、増水ごとにそれらの施設の退避又は固定が必要である。
【０００６】
本発明は、わずかな増水では水没・冠水しない水辺デッキを提供することを目的とする。本願では、越水防止等の他の利点を併せ持つ発明も開示する。
【課題を解決するための手段】
【０００７】
本発明は、実質的に水平を保ったまま、水位の上昇とともに上方に移動可能なように陸側構造に連結されたデッキ部を有することを特徴とする水辺デッキとした。また、実質的に水平を保ったまま上方に移動可能なように陸側構造に連結されたデッキ部であって、水よりも小さい比重を有するデッキ部を有することを特徴とする水辺デッキとした。
【発明の効果】
【０００８】
第１の発明では、デッキ部が、実質的に水平を保ったまま、水位の上昇とともに上方に移動する。第２の発明では、デッキ部は、実質的に水平を保ったまま上方に移動可能であり、デッキ部が水よりも比重が軽いので、増水時にデッキ部が実質的に水平を保ったまま上方に移動する。よって、例えば、デッキ部の冠水・水没を防止又は軽減できる、デッキ部に様々な施設の設置が可能になる、増水時のデッキ部の施設の退避・固定等が不要になる等の利点を有し得る。
【図面の簡単な説明】
【０００９】
【図１】本発明の一実施形態の水辺デッキ１を示す。
【図２】増水時の水辺デッキ１を示す。
【図３】他の実施形態の水辺デッキ１Ａを示す。
【図４】さらに他の実施形態の水辺デッキ１Ｂを示す。
【図５】増水時の水辺デッキ１Ｂを示す。
【発明を実施するための形態】
【００１０】
図１は、本発明の一実施形態の水辺デッキ１を示す。図１（ａ）は、水辺デッキ１を側方から示し、図１（ｂ）は、水辺デッキ１を平面視で示す。
【００１１】
図示のように、水辺デッキ１は、デッキ部１０と、デッキ部１０を陸側構造３０に連結するための連結機構２０を有する。
【００１２】
連結機構２０は、デッキ部１０を実質的に水平に保ったまま上下方向に移動可能なように、デッキ部１０と陸側構造３０を連結する任意の機構である。「水平に保ったまま」は、大きく回転しないことを言う。波でデッキ部１０が揺れる程度のことは「水平保ったまま」の範囲である。図示の例では、連結機構２０は、連結具２１，２２及び係留体２３を有する。係留体２３は、陸側構造３０に対して回転可能であり、デッキ部１０は、係留体２３に対して回転可能である。連結具２１，２２は、例えば、金具とすることができる。好ましい実施形態では、係留体２３は、ロープ、鎖、シート状の部材等、強度と可撓性を有する部材で構成される。係留体２３は、金属や木材等の剛性の部材で構成してもよい。その場合、連結具２１は陸側構造３０と係留体２３を上下に回転可能に連結し、連結具２２は係留体２３とデッキ部１０を上下に回転可能に連結する。
【００１３】
図では、陸側構造３０が堤防である例を示す。陸側構造３０は、例えば、河岸に設置した杭等としてもよい。陸側構造３０は、例えば、コンクリート等で形成できる。陸側構造３０は、人がデッキ部１０にアクセスするためのトンネル３１等のアクセス経路を有し得る。トンネル３１には、水門を設けるとよい。アクセス経路は、階段等でもよい。
【００１４】
デッキ部１０は、床や地面等として利用される部材である。デッキ部１０の上には、フェンス１５、建物１６、植物１７、座敷、遊具等の施設を設置できる。本実施形態のデッキ部１０は、デッキ板１１、浮力体１２及び支柱１３を有する。デッキ板１１は、木材を組み合わせて形成してもよく、コンクリートで形成してもよい。浮力体１２は、デッキ部１０の重量を支える浮力を発生させる。浮力体１２は、軽量木材や発砲スチロール、古タイヤ、中空金属箱等水より比重の小さい部材で形成できる。浮力体１２は、デッキ板１１の下に取り付けるのがよく、これにより、デッキ部１０に水が被り難くなる。支柱１３は、水嵩が低いときに川底に接地してデッキ部１０を支持する。好ましい実施形態では、支柱１３は、不図示の回転軸を介して川下側に回転可能にデッキ部１０に取り付けられる。デッキ部１０に隙間がある場合は、デッキ部１０の下に遮水シート１４を設けるとよい。図のように、遮水シート１４を連結機構２０の下にも設けるのがよい。その場合、人が行き来するためのドア３２を遮水シート１４に設けるとよい。遮水シート１４の陸側端は、陸側構造３０の壁面等に固定するとよい。
【００１５】
図１では、水辺デッキ１を１つだけ示すが、川の方向（図１（ｂ）のＸ方向）に複数の水辺デッキ１を配列してもよい。遊歩道やサイクリングコースに使用する場合、水辺デッキ１をＸ方向に長くしてもよい。
【００１６】
図２は、増水時の水辺デッキ１を示す。図２（ａ）、図２（ｂ）のように、降雨等で川が増水すると、浮力体１２の浮力でデッキ部１０は、実質的に水平のまま上昇できる。そのため、デッキ部１０の水没・冠水を防止可能である。デッキ部１０は回転しないので、通常の増水時に座敷や遊具、小屋、公園等の施設を退避等する必要がない。もちろん、人は退避しておくほうが安全である。
【００１７】
増水すると水流が強くなるので、図２（ａ）、図２（ｂ）に示すように、その力で支柱１３が川下側に倒れる。よって、漂流物が支柱１３に絡まり難くなり、水辺デッキ１が流される危険が小さくなる。増水が収まると水位とともにデッキ部１０が下降するが、それと同時に、水流が弱まることで支柱１３が自重で回転し、図１（ａ）のように起立した状態に戻る。支柱１３が回転し易くなるように、支柱１３の下部に錘を設けるとよい。
【００１８】
図２（ｃ）は、豪雨等で川が大増水した場合を示す。この場合、連結具２２でデッキ部１０が回転し、デッキ部１０の川側端部が陸側構造３０よりも高くなる。これにより、大増水時の決壊、越水を防止することができる。デッキ部１０は、陸側構造３０により支持されるので、陸側には倒れない。
【００１９】
水辺デッキ１の支柱１３は省略しても構わない。例えば、水位低下時でもある程度の水深があれば、浮力体１２の浮力でデッキ部１０を浮かべることができるから支柱１３は省略可能である。水深が浅い場合でも、浮力体１２又はデッキ部１０を着底して使用すれば良いので、支柱１３は省略可能である。
【００２０】
図３は、他の実施形態の水辺デッキ１Ａを示す。水辺デッキ１Ａでは、連結機構２０が、上下に延びるガイドレール２４を有し、連結具２２がガイドレール２４に沿って移動可能になっている点が水辺デッキ１と異なる。デッキ部１０は、連結具２２に対して回転可能である。水辺デッキ１Ａにおいても、増水時には、デッキ部１０が上方に移動でき（図３（ｂ））、大増水時には、連結具２２がガイドレール２４の上端まで移動した後、デッキ部１０が回転し、その川側端部が陸側構造３０よりも高くなる（図３（ｃ））。よって、水辺デッキ１と同様の効果が達成できる。
【００２１】
図４は、さらに他の実施形態の水辺デッキ１Ｂを示す。水辺デッキ１Ｂは、水辺デッキ１のデッキ部１０に代えて、第１デッキ部１０ａと第２デッキ部１０ｂを有する。第１デッキ部１０ａと第２デッキ部１０ｂは、ヒンジ１８で回転可能に連結されている。第２デッキ１０ｂには、フェンス１５、建物１６、植物１７、座敷、遊具等を設置することができ、第１デッキ部１０ａは、第２デッキ１０ｂへのアクセス路として使用できる。第１デッキ部１０ａと第２デッキ部１０ｂの下に遮水シート１４を設けるとよい。遮水シート１４は、連結機構２０にも設けてもよい。
【００２２】
図５は、増水時の水辺デッキ１Ｂを示す。水辺デッキ１Ｂでは、Ｌ１→Ｌ２のように水辺デッキ１と同様にして第２デッキ部１０ｂが上方に移動し、さらに増水すると、第１デッキ部１０ａが回転することで、Ｌ２→Ｌ３→Ｌ４のように第２デッキ部１０ｂが水平を保ったままさらに上方まで移動できる。図５では、第２デッキ部１０ｂにのみ浮力体１２や支柱１３を設けた例を示したが、第１デッキ部１０ａにも浮力体１２や支柱１３を設けてもよい。
【００２３】
上記した実施形態では、デッキ部（第１、第２デッキ部）が水面上に張り出した例を示したが、デッキ部（第１、第２デッキ部）の下は水でなくてもよい。例えば、水辺デッキを河原に設置した（デッキ部の下に水が無い）場合でも、増水時に河原に水が来れば、デッキ部が上昇し、上記実施形態と同様の効果が得られる。水辺デッキの設置場所は、川に限らず、湖や沼、海でもよい。その他、上記実施形態に記載した構成要素やその寸法、形状、配置、個数、材料等の事項であって特許請求の範囲に記載されない事項は、単なる例示であり、特許請求の範囲を限定するものではない。
【産業上の利用可能性】
【００２４】
本発明の水辺デッキは、水辺の川床、飲食店、遊び場、公園、遊歩道、サイクリングコース等として利用できる。
【符号の説明】
【００２５】
１，１Ａ，１Ｂ・・・水辺デッキ
１０・・・デッキ部
１０ａ・・・第１デッキ部
１０ｂ・・・第２デッキ部
１１・・・デッキ板
１２・・・浮力体
１３・・・支柱
１４・・・遮水シート
１５・・・フェンス
１６・・・建物
１７・・・植物
１８・・・ヒンジ
２０・・・連結機構
２１，２２・・・連結具
２３・・・係留体
２４・・・ガイドレール
３０・・・陸側構造
３１・・・踊り場
３２・・・階段
３３・・・渡し板
【図１】
2018003328.tif 000003
【図２】
2018003328.tif 000004
【図３】
2018003328.tif 000005
【図４】
2018003328.tif 000006
【図５】
2018003328.tif 000007